(57)【要約】容器把持装置は、回転可能な台座（３）に固定された第１の顎部（１）と、制御アーム（７）を備えかつ第１の顎部に対して回動するように取り付けられた第２の顎部（５）とを有する挟み込み部材と、第２の顎部（５）の制御アーム（７）に作用を及ぼすように回転可能な台座と一体に移動するように構成された軸（１１）を偏心して回動するように取り付けられているロック部材（１０）とを備え、ロック部材が、固定フレーム要素（１５）に坦持された開放作動部材（１３）及び閉鎖作動部材（１４）に面するようになるように配置された駆動部材（１２）を備えている。
2005523213.tif 000002
【特許請求の範囲】
【請求項１】
容器把持装置において、
回転可能な台座（３）に固定された第１の顎部（１）と、制御アーム（７）を備えかつ前記第１の顎部に対して回動するように取り付けられた第２の顎部（５）とを有する挟み込み部材と、前記第２の顎部（５）の前記制御アーム（７）に作用を及ぼすように前記回転可能な台座と一体に移動するように構成された軸（１１）を偏心して回動するように取り付けられているロック部材（１０）とを備え、前記ロック部材が、固定フレーム要素（１５）に坦持された開放作動部材（１３）及び閉鎖作動部材（１４）に面するようになるように配置された駆動部材（１２）を備えていることを特徴とする容器把持装置。
【請求項２】
前記第２の顎部（５）と前記ロック部材（１０）が、前記第１の顎部（１）によって坦持されていることを特徴とする請求項１に記載の容器把持装置。
【請求項３】
前記顎部が閉じられた状態の時、前記ロック部材の最も大きく偏心した点が、前記制御アーム（７）によって坦持された前記制御ローラ（８）と接触するように、前記駆動部材及び前記閉鎖作動部材が配置されていることを特徴とする請求項１に記載の容器把持装置。
【請求項４】
前記ロック部材が、第２の顎部（５）の前記制御アーム（７）によって坦持された回動する制御ローラ（８）に作用を及ぼすカム（１０）であることを特徴とする請求項１に記載の容器把持装置。
【請求項５】
前記カム（１０）が円形であることを特徴とする請求項４に記載の容器把持装置。
【請求項６】
前記カム（１０）が前記顎部の開放位置と閉鎖位置の間で４分の１回転だけ回動するように前記駆動部材（１２）と前記作動部材（１３、１４）が配置されていることを特徴とする請求項５に記載の容器把持装置。
【発明の詳細な説明】
【技術分野】
【０００１】
本発明は、容器を把持する把持装置に関し、とりわけ、キャップのねじ込み部署において容器を把持する把持装置に関する。
【背景技術】
【０００２】
包装機械に取り付けられた容器把持装置として数多くのものが知られている。多くの場合、顎部が閉鎖位置に弾性的に戻るようになった把持用挟み込み部材を用いることができる。この場合、容器は、容器の導入領域または取り出し領域に隣接して適切に配置されたガイド用傾斜路を用いて挟み込み部材に導入されるか、挟み込み部材から取り出される。充填ノズルまたはキャップのヒートシール・ヘッドに対して容器を垂直に維持するために、一般にこのような挟み込み部材を使用することができる。
【発明の開示】
【０００３】
しかしながら、キャップねじ込み部署では、容器をキャップねじ込みヘッドに対して垂直に維持するだけでなく、キャップを締めるトルクが加わった時に容器が回転しないようにする必要もある。既存の装置は、容器をキャップねじ込みユニットに導入する時に容器を形成する材料の中に食い込む突起部を有する部材を一般に備えている。この装置は、容器の一部を傷つけるという欠点を有する。さらに、容器の導入と取り出しによって突起部が徐々に摩耗するため、ロック部材が回転阻止機能を果たし続けるようにするためには、ある程度の回数使用した後に突起部付きのロック部材を交換する必要がある。
【０００４】
そこで、本発明の目的は、これらの欠点を持たない容器把持装置を提案することである。
【０００５】
そのため、本発明によれば、回転可能な台座に固定された第１の顎部と、制御アームを備えかつ第１の顎部に対して回動するように取り付けられた第２の顎部とを有する挟み込み部材と、第２の顎部の制御アームに作用を及ぼすように回転可能な台座と一体に移動するように構成された軸を偏心して回動するように取り付けられているロック部材とを備え、ロック部材が、固定フレーム要素に坦持された開放作動部材及び閉鎖作動部材に面するようになるように配置された駆動部材を備えている容器把持装置を提案する。
【０００６】
このように、固定された顎部は、容器の基準位置として機能する。ロック部材の形状と位置によって挟み込み部材の顎部の締まり具合が決まる。その締まり具合は、挟み込み部材が閉じられた時、容器が回転するのを防ぐが、その容器が傷むことはないようにするのにちょうど必要な力をその容器に及ぼすことができる程度にする。
【０００７】
本発明の有利な態様によれば、第２の顎部とロック部材は第１の顎部によって坦持されている。したがって、容器把持装置は、分解して再び組み立てるという単一の操作で挟み込み部材を変更することにより、異なる容器に対応させることができる。
【０００８】
本発明の別の有利な態様によれば、顎部が閉じられた状態の時、ロック部材の最も大きく偏心した点が、第２の顎部の制御アームによって坦持される制御ローラと接触するように、ロック部材の駆動部材及び閉鎖作動部材が配置されている。したがって挟み込み部材が不可逆的に締め付けられる。すなわち、容器からの開けようとする力が、顎部のこの状態に対して効果を及ぼすことがない。
【０００９】
本発明の他の特徴ならびに利点は、添付の図面を参照した以下の具体的な実施態様に関する説明を読むことによって明らかになろう。ただし本発明がこの実施態様に限定されることはない。
【発明を実施するための最良の形態】
【００１０】
図面を参照すると、本発明の容器把持装置は、第１の顎部１を有する挟み込み部材を備えている。この第１の顎部１は、複数のボルト４によって回転可能な台座３に固定された柱部材２に強固に取り付けられている。第２の顎部５は、第１の顎部１によって坦持されており、かつこの第１の顎部１に対して軸６回りで回動できるように取り付けられている。第２の顎部５は、制御ローラ８が取り付けられた制御アーム７を有している。制御ローラ８は、大きな圧縮力に耐えられるよう、例えばニードル軸受により、軸９回りを回動できるように取り付けられている。
【００１１】
制御ローラ８は、ロック部材に面して延びている。このロック部材は、図示した実施態様では、第１の顎部１によって坦持されたピンの軸１１回りで偏心して回動するように取り付けられた円形カム１０で形成されている。ロック部材は、この例では、カム１０がその回りで回動する軸１１からずれた位置にカム１０に固定したプレート１２で形成された駆動部材を備えている。さらに、この駆動部材は、把持装置の固定フレーム要素を形成しているプレート１５の下に固定された、開放作動ローラ１３と、閉鎖作動ローラ１４とに交互に面するように配置されている。
【００１２】
この実施態様では、開放作動部材１３及び閉鎖作動部材１４は、台座３が回転した時にカム１０に追従される軌跡のいずれかの側に配置されている。
【００１３】
顎部１及び５は、これら顎部１、５の間に配置されているバネ１６によって開放位置に戻る。それにより、制御アーム７の制御ローラ８は、カム１０に当接した状態で保持されている。
【００１４】
本発明の好ましいこの実施態様によると、プレート１２と開放作動部材１３は、図１に示したように、プレート１２が開放作動部材１３に面するように位置する時、カム１０の最も大きく偏心した点が、カム１０が回動する軸１１と制御ローラ８が回動する軸９とを通る一平面に垂直な方向を向くようにカム１０が配置されている。この状態の時には、駆動部材１２が閉鎖作動部材１４に面する直前に、容器１７を顎部１と顎部５の間に導入することができる。駆動部材１２が閉鎖作動部材１４に当接すると、駆動部材１２は、図３に示したように向きを変えてカム１０を４分の１回転だけ回動させ、カムの最も大きく偏心した点が、制御アーム７によって坦持された制御ローラ８と接触する。この状態だと、顎部１、５を容器１７に対して締め付けることによって制御ローラ８がカム１０に及ぼす力がカム１０の軸１１を通るため、カム１０が顎部１、５を緩める方向に回動する危険はない。したがって、顎部１、５は不可逆的に締め付けられる。
【００１５】
当然、本発明がここに説明した実施態様に限定されることはなく、請求の範囲に規定した本発明の範囲内でさまざまな実施態様を実現することができる。
【００１６】
特に、一実施態様として、第２の顎部５とカム１０を第１の顎部によって坦持することにより、分解して再び組み立てるという単一の操作を実行して挟み込み部材を完全に変更することのできる場合について本発明を説明したが、第２の顎部５とカム１０を別々に回転可能な台座３に直接的に取り付けることによって本発明を実現することもできる。
【００１７】
円形カムの形態のロック部材を用い、カムが顎部の開放位置と顎部の閉鎖位置の間で４分の１回転だけ回動するように駆動部材と作動部材を配置することで、安価な構造を利用して顎部を迅速かつ正確に移動させることができると同時に、不可逆的な締め付けが保証されるようにしたものについて本発明を説明したが、より複雑な形態のカム（例えば卵形のカム）を用いて本発明を実現することや、偏心構造を有するまったく別のロック部材（例えばレバーによって坦持されていて、制御アームの開口部と噛み合う突起部）を使用することができる。
【図面の簡単な説明】
【００１８】
【図１】挟み込み部材が開いている時の本発明による把持装置の平面図である。
【図２】本発明による把持装置の側面図である。
【図３】挟み込み部材が閉じられている時の図１と同様な平面図である。
【図１】
2005523213.tif 000003
【図２】
2005523213.tif 000004
【図３】
2005523213.tif 000005
【国際調査報告】
2005523213.tif 000006
2005523213.tif 000007
2005523213.tif 000008
2005523213.tif 000009
2005523213.tif 000010
2005523213.tif 000011